(57)【要約】【課題】  はんだ付けによる電気配線を減らして小型化及び組立を容易に行うことができる内視鏡装置を提供すること。【解決手段】  ＬＥＤユニット６は、複数のＬＥＤチップ５とＬＥＤ電気接点２２Ａ、２２Ｂとが同一面上に配されたフレキ基板２３と、フレキ基板２３を支持する厚肉円板状の基板保持部２５とを備えている。ＬＥＤチップ５は、フレキ基板２３上の同一円周上に所定の間隔を有して配されており、ＬＥＤ電気接点２２Ａ、２２Ｂは、ＬＥＤチップ５と同一円周上でその中心に対して対称位置にそれぞれ配されている。フレキ配線２６Ａ、２６Ｂは薄板状に形成されており、一端側は、アダプタ側電気接点２８Ａ、２８Ｂが配された後述する電極基板３０と外フランジ部との間に挟まれた状態とされ、電極基板３０と接触することによって後述する第一の導電ゴム３５を介して挿入部側電気接点と導通可能とされている。【選択図】  図３
2006075404.tif 000002
【特許請求の範囲】
【請求項１】
管腔内に挿入される挿入部と、
複数のＬＥＤチップを有するＬＥＤユニットが配されて前記挿入部の先端側に着脱可能な撮像アダプタと、
を備える内視鏡装置であって、
前記撮像アダプタが、
前記ＬＥＤユニットに設けられたＬＥＤ電気接点と、
前記挿入部の先端側に配された挿入部側電気接点と導通可能なアダプタ側電気接点と、
前記ＬＥＤ電気接点と前記アダプタ側電気接点とをそれぞれ押圧して前記ＬＥＤ電気接点と前記アダプタ側電気接点とを導通させる押付力発生部と、
を備えていることを特徴とする内視鏡装置。
【請求項２】
前記ＬＥＤ電気接点及び前記アダプタ側電気接点のうち少なくとも一つが前記撮像アダプタの軸方向に配され、
前記押付力発生部により生じる押付力の方向が、前記撮像アダプタの軸方向とされていることを特徴とする請求項１に記載の内視鏡装置。
【請求項３】
前記ＬＥＤ電気接点及び前記アダプタ側電気接点のうち少なくとも一つが前記撮像アダプタの径方向に配され、
前記押付力発生部により生じる押付力の方向が、前記撮像アダプタの径方向とされていることを特徴とする請求項１に記載の内視鏡装置。
【請求項４】
前記押付力発生部が、導電ゴムを備えていることを特徴とする請求項１に記載の内視鏡装置。
【請求項５】
前記導電ゴムが、前記ＬＥＤ電気接点と前記アダプタ側電気接点との間に配されていることを特徴とする請求項４に記載の内視鏡装置。
【請求項６】
可撓性を有し、前記ＬＥＤ電気接点と前記アダプタ側接点との少なくとも一方と電気的に接触可能な配線部を備えていることを特徴とする請求項１に記載の内視鏡装置。
【請求項７】
前記押付力発生部に配され、前記ＬＥＤ電気接点と前記アダプタ側接点との少なくとも一方と電気的に接触可能な配線部を備えていることを特徴とする請求項１に記載の内視鏡装置。
【請求項８】
前記ＬＥＤ電気接点と前記アダプタ側電気接点とを離間して支持する保持部と、
前記ＬＥＤ電気接点と前記アダプタ側電気接点との少なくとも一方と電気的に接触可能な配線部とを備え、
該配線部が、前記保持部の表面に形成されていることを特徴とする請求項１に記載の内視鏡装置。
【発明の詳細な説明】
【技術分野】
【０００１】
本発明は、内視対象の管腔内に挿入して内部を観察可能な内視鏡装置に関する。
【背景技術】
【０００２】
工業用や医療用として使用される内視鏡装置は、管腔内に挿入される挿入部の先端側に、観察若しくは撮像のための光学系が設けられると共に、管腔内の内視対象の周辺を照らし出すための照明手段が設けられている。この照明手段としては、外部の光源の光を光ファィバーを介して対象物に照射するものが多く用いられている。
【０００３】
このような内視鏡装置として、ガラスエポキシ等から成る絶縁性の取付ベースに配線がプリントされ、その取付ベース上のプリント配線にＬＥＤのパッケージチップが接続固定されると共に、プリント配線上の電極部（前部側電極端子）が取付ベースの後部側の電極部（後部側電極端子）にはんだ付けによって配線及び接続されているものが各種提案されている（例えば、特許文献１参照。）。
【０００４】
一方、光学系や照明手段を撮像アダプタとして挿入部本体に着脱可能な構成とした場合、撮像アダプタと挿入部とを電気的に接触させるために、アダプタ側の接点としてＬＥＤと導通した圧縮バネと、これに接続された金属製ボールとを備え、挿入部に撮像アダプタを装着した際に挿入部側電気接点を金属製ボールに押付けて両者の電気的な接触状態を創出するとともに、圧縮バネの付勢力によって接触状態を維持させているものが提案されている（例えば、特許文献２参照。）。
【特許文献１】特開２００２−５６２号公報
【特許文献２】特開平１０−３２８１３１号公報
【発明の開示】
【発明が解決しようとする課題】
【０００５】
しかしながら、特許文献２に記載の内視鏡装置であっても、アダプタ側電気接点と挿入部側電気接点との接触以外の電気配線は、例えば、複数のＬＥＤベアチップを配線したフレキシブルな基板（以下、フレキ基板と称する。）に対してリード線をはんだ付けする等、大部分がはんだ付けによるものとされている。従って、内視鏡装置を小型細径する際、各接点が小型になるとともに互いに接近するためにはんだ付けが困難となって、組立性が悪化し、また、はんだ付け不良による故障の原因となる場合がある。
本発明は上記事情に鑑みて成されたものであり、はんだ付けによる電気配線を減らして小型化及び組立を容易に行うことができる内視鏡装置を提供することを目的とする。
【課題を解決するための手段】
【０００６】
本発明は、上記課題を解決するため、以下の手段を採用する。
本発明に係る内視鏡装置は、管腔内に挿入される挿入部と、複数のＬＥＤチップを有するＬＥＤユニットが配されて前記挿入部の先端側に着脱可能な撮像アダプタとを備える内視鏡装置であって、前記撮像アダプタが、前記ＬＥＤユニットに設けられたＬＥＤ電気接点と、前記挿入部の先端側に配された挿入部側電気接点と導通可能なアダプタ側電気接点と、前記ＬＥＤ電気接点と前記アダプタ側電気接点とをそれぞれ押圧して前記ＬＥＤ電気接点と前記アダプタ側電気接点とを導通させる押付力発生部とを備えていることを特徴とする。
この内視鏡装置は、はんだ付けでなく押付力発生部によって押付力を生じることによって、ＬＥＤ電気接点やアダプタ側電気接点を互いに接触させて電気的に導通させることができる。
【０００７】
また、本発明に係る内視鏡装置は、前記内視鏡装置であって、前記ＬＥＤ電気接点及び前記アダプタ側電気接点のうち少なくとも一つが前記撮像アダプタの軸方向に配され、前記押付力発生部により生じる押付力の方向が、前記撮像アダプタの軸方向とされていることを特徴とする。
この内視鏡装置は、押付力を撮像アダプタの軸方向に発生させることによって、ＬＥＤ電気接点とアダプタ側電気接点とを好適に導通させることができる。
【０００８】
また、本発明に係る内視鏡装置は、前記内視鏡装置であって、前記ＬＥＤ電気接点及び前記アダプタ側電気接点のうち少なくとも一つが前記撮像アダプタの径方向に配され、前記押付力発生部により生じる押付力の方向が、前記撮像アダプタの径方向とされていることを特徴とする。
この内視鏡装置は、押付力をアダプタの径方向に発生させることによって、ＬＥＤ電気接点とアダプタ側電気接点とを好適に導通させることができる。
【０００９】
また、本発明に係る内視鏡装置は、前記内視鏡装置であって、前記押付力発生部が、導電ゴムを備えていることを特徴とする。
この内視鏡装置は、導電ゴムを圧縮変形させることによって押付力として弾性力を発生させることができ、また、圧縮変形させた部分のみ圧縮方向に通電させることができ、ＬＥＤ電気接点とアダプタ側電気接点とを好適に導通させることができる。
【００１０】
また、本発明に係る内視鏡装置は、前記内視鏡装置であって、前記導電ゴムが、前記ＬＥＤ電気接点と前記アダプタ側電気接点との間に配されていることを特徴とする。
この内視鏡装置は、ＬＥＤ電気接点とアダプタ側電気接点とを導電ゴムを介して接触させることができ、電気接点同士を直接接触させることによる故障を抑えることができる。
【００１１】
また、本発明に係る内視鏡装置は、前記内視鏡装置であって、可撓性を有し、前記ＬＥＤ電気接点と前記アダプタ側接点との少なくとも一方と電気的に接触可能な配線部を備えていることを特徴とする。
この内視鏡装置は、配線部を押付力発生部にて生じる押付力によって変形させることができ、配線部とＬＥＤ電気接点と、及び、配線部とアダプタ側電気接点とをより好適に密着した状態で通電させることができる。
【００１２】
また、本発明に係る内視鏡装置は、前記内視鏡装置であって、前記押付力発生部に配され、前記ＬＥＤ電気接点と前記アダプタ側接点との少なくとも一方と電気的に接触可能な配線部を備えていることを特徴とする。
この内視鏡装置は、押付力発生部によって押付力を発生させる際に、配線部とＬＥＤ電気接点と、及び、配線部とアダプタ側電気接点とをより好適に密着した状態で通電させることができる。
【００１３】
また、本発明に係る内視鏡装置は、前記内視鏡装置であって、前記ＬＥＤ電気接点と前記アダプタ側電気接点とを離間して支持する保持部と、前記ＬＥＤ電気接点と前記アダプタ側電気接点との少なくとも一方と電気的に接触可能な配線部とを備え、該配線部が、前記保持部の表面に形成されていることを特徴とする。
【００１４】
この内視鏡装置は、配線部を独立して配さなくても撮像アダプタを組立てる際にＬＥＤ電気接点とアダプタ側電気接点とを導通させることができ、撮像アダプタの組立をより容易にし、小型化を図ることができる。
【発明の効果】
【００１５】
本発明によれば、はんだ付けによらなくても撮像アダプタ内の電気接点を導通させることができ、組立を容易にするとともに、接点近傍における故障の発生を好適に抑えることができる。
【発明を実施するための最良の形態】
【００１６】
本発明に係る第１の実施形態について、図１から図３を参照して説明する。
本実施形態に係る内視鏡装置１は、管腔内に挿入される挿入部２と、挿入部２が引き出されるボックス状の装置本体部３と、複数のＬＥＤチップ５を有するＬＥＤユニット６が配されて挿入部２の先端側に着脱可能な撮像アダプタ７とを備えている。
【００１７】
挿入部２は、長尺な軟性管８を備えており、装置本体部３内に回転可能に配されたドラム１０に巻回されて収納されるようになっている。なお、装置本体部３には、図示しない信号処理回路や電源回路が配されている。また、装置本体部３は、交換用アダプタ７Ａを収納する収納ポケット１１が装着可能とされている。
【００１８】
挿入部２の先端には、撮像手段である図示しないＣＣＤと、撮像アダプタ７側に電流を供給するための挿入部側電気接点１２Ａ、１２Ｂとを備えて略円筒状に形成された連結プラグ１３が配されている。
挿入部側電気接点１２Ａ、１２Ｂは、連結プラグ１３の先端側端面１３Ａから突出して配された電極端子１５と、電極端子１５と連結プラグ１３とを電気的に絶縁するための絶縁管１６とを備えている。
【００１９】
撮像アダプタ７は、所謂直視型のものであり、内視対象物に対峙しその像を連結プラグ１３のＣＣＤ上に結ぶ対物レンズ１７がアダプタの軸方向に沿って配置されている。対物レンズ１７は、略円筒状に形成されたレンズ筒部（保持部）１８の内部に収容され、ＬＥＤユニット６と共に円筒状に形成された外側部材２０内に収容されている。
【００２０】
レンズ筒部１８は、有底の厚肉円筒状の基部１８ａと、底部の先端面に同軸に延設された小径の円筒壁１８ｂと、基部１８ａの外周面の径方向外方に突出して形成された環状の外フランジ部１８ｃとを備えている。そして、先端側にＬＥＤユニット６が配され、後述するＬＥＤ電気接点２２Ａ、２２Ｂと電極３３Ａ、３３Ｂとをそれぞれ離間して支持している。
【００２１】
外側部材２０には、レンズ筒部１８を外側部材２０内に配した際、外フランジ部１８ｃよりも先端側に所定の距離だけ離間した位置に、径方向内方に突出した環状の内フランジ部２０ａが形成されている。そして、外側部材２０の先端には、透明円板からなるカバーガラス２１が係合されている。
【００２２】
ＬＥＤユニット６は、軟質で円板状に形成され、複数のＬＥＤチップ５とＬＥＤ電気接点２２Ａ、２２Ｂとが同一面上に配されたフレキ基板２３と、アルミニウム等の金属からなりフレキ基板２３を支持する厚肉円板状の基板保持部２５とを備えている。フレキ基板２３と基板保持部２５との中心部には、レンズ筒部１８の円筒壁１８ｂの外周面と嵌合可能な貫通孔が配されている。ＬＥＤチップ５は、フレキ基板２３上の同一円周上に所定の間隔を有して配されており、ＬＥＤ電気接点２２Ａ、２２Ｂは、ＬＥＤチップ５と同一円周上でその中心に対して対称位置にそれぞれ配されている。
【００２３】
ＬＥＤ電気接点２２Ａ、２２Ｂ近傍のフレキ基板２３と基板保持部２５との側面には、可撓性を有して薄板状に形成されたフレキ配線（配線部）２６Ａ、２６Ｂが嵌入可能な溝２７Ａ、２７Ｂが軸方向に形成されている。
このフレキ配線２６Ａ、２６Ｂは薄板状に形成されており、一端側は、外フランジ部１８ｃに沿って撮像アダプタ７の径方向内方に折り曲げられて、アダプタ側電気接点２８Ａ、２８Ｂが配された後述する電極基板３０と外フランジ部１８ｃとの間に挟まれた状態とされている。
この一端には、電極基板３０と接触することによって後述する第一の導電ゴム３５とを介して挿入部側電気接点１２Ａ、１２Ｂと導通可能とされる第一の接点３１が配されている。
【００２４】
ＬＥＤユニット６を外フランジ部１８ｃと内フランジ部２０ａとの間に配した際に、フレキ配線２６Ａ、２６Ｂの他端側は、内フランジ部２０ａに沿って外側部材２０の径方向内方に折り曲げられ、ＬＥＤ電気接点２２Ａ、２２Ｂと後述する第二の導電ゴム３６との間に挟まれた状態とされている。
この他端には、ＬＥＤ電気接点２２Ａ、２２Ｂと導通可能とされる第二の接点３２が配されている。
【００２５】
電極基板３０は、挿入部側電気接点１２Ａ、１２Ｂから供給された電流をＬＥＤユニット６に通電させるものとされ、レンズ筒部１８の外周面と嵌合可能な貫通孔が配されて薄板円板状に形成されている。電極基板３０の先端側端面には、フレキ配線２６Ａ、２６Ｂのそれぞれの第一の接点３１と接触可能な電極３３Ａ、３３Ｂが配されている。基端側端面には、電極３３Ａ、３３Ｂと導通されるとともに、第一の導電ゴム３５と接触することによって挿入部側電気接点１２Ａ、１２Ｂと導通可能なアダプタ側電気接点２８Ａ、２８Ｂが配されている。
【００２６】
第一の導電ゴム（押付力発生部）３５は、軸方向に押圧されることによって圧縮されて弾性力を発生して押付力発生部として機能している。この弾性力によって、フレキ配線２６Ａ、２６Ｂそれぞれの第一の接点３１と電極３３Ａ、３３Ｂとを押圧して両者を接触させる。
また、第二の導電ゴム（押付力発生部）３６は、ＬＥＤユニット６をレンズ筒部１８に嵌合させた際に軸方向に押圧されることによって圧縮されて弾性力を発生して同様に押付力発生部として機能している。この弾性力によって、フレキ配線２６Ａ、２６Ｂそれぞれの第二の接点３２とＬＥＤ電気接点２２Ａ、２２Ｂとを押圧して両者を接触させる。
【００２７】
ここで、第一の導電ゴム３５及び第二の導電ゴム３６は、シリコンゴム等の絶縁性のゴム素材に、ニッケル粒子や金メッキを施した金属粒子等の導電部材をドット状に埋設して構成されたものとされ、通常、ドットタイプの異方導電性ゴム等と呼ばれている。これら導電ゴム３５、３６は上述のような構成とされているため、弾性体であるゴム素材を厚さ方向に押圧すると、その圧縮変形によって高密度化した導電部材間の導電性が増し、それによって厚み方向の通電が許容されるようになる。この際、ゴム素材が絶縁部材であることから、ゴム素材の厚み方向以外の方向（例えば、周方向）については絶縁状態が維持される。
【００２８】
また、第一の導電ゴム３５は、レンズ筒部１８と嵌合可能に環状に形成され、第二の導電ゴム３６は、ＬＥＤ電気接点２２Ａ、２２Ｂと接触可能な一部に突部３６ａを有して環状に形成されている。
この第一の導電ゴム３５は、撮像アダプタ７の挿入部２への接続の際、連結プラグ１３の挿入部側電気接点１２Ａ、１２Ｂによって基端側から圧接される。このため、挿入部側電気接点１２Ａ、１２Ｂによって圧接された部分のみが通電可能とされてアダプタ側電気接点２８Ａ、２８Ｂと導通される。
【００２９】
外側部材２０の基端部には、第一の導電ゴム３５を軸方向先端側に押圧した状態で連結部材３７が嵌合され、円筒状の接続リング３８が軸方向及び回転方向に変位可能に連結部材３７の突出端に外嵌されている。接続リング３８の内周面には、第一の雌ねじ４０Ａと第二の雌ねじ４０Ｂとが軸方向に所定距離だけ離間して設けられている。
【００３０】
連結プラグ１３の外周面には、第一の雌ねじ４０Ａ及び第二の雌ねじ４０Ｂと螺合可能な固定用の雄ねじ４１が設けられている。そして、この雄ねじ４１に対して接続リング３８の第一の雌ねじ４０Ａと第二の雌ねじ４０Ｂとを順次螺合することにより、撮像アダプタ７を連結プラグ１３に連結される。即ち、撮像アダプタ７の接続リング３８を連結プラグ１３の先端部に嵌合し、その状態のまま接続リング３８を所定方向に回転させると、連結プラグ１３の雄ねじ４１が第一の雌ねじ４０Ａ、さらに、第二の雌ねじ４０Ｂに順次締め込まれてゆく。
【００３１】
その結果、連結プラグ１３の先端面から突出した挿入部側電気接点１２Ａ、１２Ｂの各電極端子１５が第一の導電ゴム３５を押圧し、その第一の導電ゴム３５を通して挿入部側電気接点１２Ａ、１２Ｂと電極基板３０上のアダプタ側電気接点２８Ａ、２８Ｂとが導通される。尚、第一の雌ねじ４０Ａは、連結プラグ１３の雄ねじ４１が第二の雌ねじ４０Ｂに締め込まれた後には雄ねじ４１との螺合が外れるが、この第一の雌ねじ４０Ａは、雄ねじ４１と第二の雌ねじ４０Ｂとの螺合が万が一緩んだときに脱落防止用のストッパとして機能する。
【００３２】
この内視鏡装置１によれば、外フランジ部１８ｃと第一の導電ゴム３５との間にフレキ配線２６Ａ、２６Ｂを挿入することによって、挿入部２に撮像アダプタ７を装着する際に第一の導電ゴム３５に押付力を発生させることができる。そして、フレキ配線２６Ａ、２６Ｂの第一の接点３１と電極３３Ａ、３３Ｂとを接触して挿入部側電気接点１２Ａ、１２Ｂとアダプタ側電気接点２８Ａ、２８Ｂとをそれぞれ導通させることができる。
また、第二の導電ゴム３６を内フランジ部２０ａとフレキ配線２６Ａ、２６Ｂとの間に挿入することによって第二の導電ゴム３６に押付力を発生させ、フレキ配線２６Ａ、２６Ｂの第二の接点３２とＬＥＤ電気接点２２Ａ、２２Ｂとを接触してそれぞれ導通させることができる。  
【００３３】
次に、第２の実施形態について図４及び図５を参照しながら説明する。
なお、上述した第１の実施形態と同様の構成要素には同一符号を付すとともに説明を省略する。
第２の実施形態と第１の実施形態との異なる点は、本実施形態に係る内視鏡装置４５では、第二の導電ゴム４６により生じる押付力が、撮像アダプタ４７の径方向とされているとした点である。
【００３４】
電極基板４８の先端側端面には、軸対称位置とされる周端部の一部から第一の腕部５０Ａ、５０Ｂがそれぞれ軸方向に突出して形成されており、第一の腕部５０Ａ、５０Ｂの端部の径方向内方側に先端側電極５１Ａ、５１Ｂが配されている。電極基板５１の基端側端面には、先端側電極５１Ａ、５１Ｂと導通されたアダプタ側電気接点２８Ａ、２８Ｂが配されている。
【００３５】
ＬＥＤユニット５５のフレキ基板５６には、基端側端面上の軸対称位置とされる周縁部の一部から第二の腕部５７Ａ、５７Ｂがそれぞれ軸方向に突出して形成されている。これら第二の腕部５７Ａ、５７Ｂの端部には、径方向外方側に面してＬＥＤ電気接点２２Ａ、２２Ｂが配されている。従って、先端側電極５１Ａ、５１ＢとＬＥＤ電気接点２２Ａ、２２Ｂとはそれぞれ対向可能な位置に配されている。
【００３６】
第二の導電ゴム４６は平板状に形成されており、ＬＥＤ電気接点２２Ａ、２２Ｂと先端側電極５１Ａ、５１Ｂとの間に挿入されている。
レンズ筒部５８は、略円筒状に形成された外側部材５９内で嵌合可能な外径とされている。
レンズ筒部５８の外周面には、第一の腕部５０Ａ、５０Ｂ及び第二の腕部５５Ａ、５５Ｂを軸方向に沿って配設可能な溝５８Ａ、５８Ｂが形成されている。
【００３７】
この溝５８Ａ、５８Ｂは、ＬＥＤ電気接点２２Ａ、２２Ｂ、第二の導電ゴム４６、及び先端側電極５１Ａ、５１Ｂを接触させてもレンズ筒部５８の外周面から突出しない深さに形成されている。そのため、溝５８Ａ、５８Ｂには、第二の腕部５５Ａ、５５Ｂの端部位置に相当する位置に段部５８ａが形成されている。ここで、段部５８ａを形成する代わりに、溝５８Ａ、５８Ｂの底部が平面状に形成されたレンズ筒部５８Ｃと第一の腕部５０Ａとの間に弾性シート５８ｂを配しても構わない。
なお、外側部材５９は、第１の実施形態に係る外側部材２０と異なり、内フランジ部２０ａが配されていない状態で、レンズ筒部５８を嵌入可能とされている。
【００３８】
この内視鏡装置４５によれば、レンズ筒部５８にフレキ基板５６、第二の導電ゴム４６、電極基板５１とを配した状態で外側部材５９に嵌入することによって、第二の導電ゴム４６が径方向に圧縮されて押付力を発生させることができ、ＬＥＤ電気接点２２Ａ、２２Ｂと先端側電極５１Ａ、５１Ｂとをそれぞれ好適に接触させてＬＥＤ電気接点２２Ａ、２２Ｂとアダプタ側電気接点２８Ａ、２８Ｂとを導通させることができる。
【００３９】
次に、第３の実施形態について図６を参照しながら説明する。
なお、上述した実施形態と同様の構成要素には同一符号を付すとともに説明を省略する。
第３の実施形態と第１の実施形態との異なる点は、本実施形態に係る内視鏡装置６０の撮像アダプタ６１において、レンズ筒部６２が樹脂等で構成され、その外周面の一部に金属のメッキ層（配線部）６３Ａ、６３Ｂが形成されているとした点である。
【００４０】
メッキ層６３Ａ、６３Ｂは、中心軸に対して軸対称の位置に、軸方向に直線状に延びて形成されている。メッキ層６３Ａ、６３Ｂを構成する金属は、導電性を有するものであればよい。メッキ層６３Ａ、６３Ｂは両端部分がレンズ筒部６２の両端面まで延びて形成されており、第一の接点３１と第二の接点３２とがそれぞれ形成されている。
【００４１】
ＬＥＤユニット６５は、ガラスエポキシ基板６６を備えており、先端側端面に複数のＬＥＤチップ５が配されている。ＬＥＤ電気接点２２Ａ、２２Ｂはレンズ筒部６２と対向する基端側端面に配されており、凸部３６ａのない形状とされた第二の導電ゴム６７を介して第二の接点３２と接触可能とされている。
【００４２】
この内視鏡装置６０によれば、メッキ層６３Ａ、６３Ｂがレンズ筒部６２の外周面に配されているので、フレキ配線２６Ａ、２６Ｂのような独立した部品を配さなくてもメッキ層６３Ａ、６３Ｂを通電させることによってＬＥＤ電気接点２２Ａ、２２Ｂと電極３３Ａ、３３Ｂとを導通させることができる。従って、撮像アダプタ６１の組立をより容易にして小型化を図ることができる。
【００４３】
次に、第４の実施形態について図７を参照しながら説明する。
なお、上述した実施形態と同様の構成要素には同一符号を付すとともに説明を省略する。
第４の実施形態と第１及び第３の実施形態との異なる点は、本実施形態に係る内視鏡装置７０の撮像アダプタ７１における基板保持部７２内に棒状の導電部（配線部）７３Ａ、７３Ｂが配されているとした点である。
【００４４】
導電部７３Ａ、７３Ｂは、基板保持部７２の中心軸に対して軸対称とされる位置に軸方向に貫通して配されるとともに、基板保持部７２の基端側端面７２Ａ、先端側端面７２Ｂのそれぞれから端部７３ａ、７３ｂがそれぞれ突出して配されている。
端部７３ａは基板保持部７２の基端側端面７２Ａに配された第一のフレキ基板７５に接続されて、第一の導電ゴム３５を介して電極基板３０と導通可能とされている。
端部７３ｂは基板保持部７２の先端側端面７２Ｂに面して配されており、第二の導電ゴム６７を介して、ＬＥＤチップ５が配された第二のフレキ基板７６と導通可能とされている。この第二のフレキ基板７６の基端側端面には、ＬＥＤ電気接点２２Ａ、２２Ｂが配されている。
【００４５】
この内視鏡装置７０によれば、基板保持部７２内に導電部７３Ａ、７３Ｂを配しているので、上記第３の実施形態の場合と同様にフレキ配線２６Ａ、２６Ｂのような独立した部品を配さなくても、第一の導電ゴム３５及び第二の導電ゴム６７によって押付力を発生させて、ＬＥＤ電気接点２２Ａ、２２Ｂと電極３３Ａ、３３Ｂとを導電部７３Ａ、７３Ｂを介して導通させ、さらに挿入部側とも導通させることができる。
【００４６】
次に、第５の実施形態について図８を参照しながら説明する。
なお、上述した実施形態と同様の構成要素には同一符号を付すとともに説明を省略する。
第５の実施形態と第３の実施形態との異なる点は、本実施形態に係る内視鏡装置８０の撮像アダプタ８１において、ＬＥＤチップ５がカバーガラス８２の基端側端面８２Ａに配された複数の凹部８３にそれぞれ埋設されているとした点である。
【００４７】
各ＬＥＤチップ５は、第二の導電ゴム６７を介して各ＬＥＤチップ５を直列に接続させるパターン８５が形成されたＬＥＤ基板８６と接触可能とされている。パターン８５の軸対称位置には、ＬＥＤ電気接点８７Ａ、８７Ｂが形成されている。
カバーガラス８２の基端側端面には位置決め用凹部８２ａが形成され、ＬＥＤ基板８６の先端側端面には位置決め用凸部８６ａが形成されており、第二の導電ゴム６７を間に挟んで位置決め用凹部８２ａと位置決め用凸部８６ａとを係合させることによって、各ＬＥＤチップ５とパターン８５とを導通させることができる。
このＬＥＤ基板８６の基端側端面には、ＬＥＤ電気接点８７Ａ、８７Ｂと導通された図示しないパターンが形成されており、第一の導電ゴム３５と接触可能とされている。
【００４８】
電極基板９０の先端側端面には、ＬＥＤ電気接点８７Ａ、８７Ｂと対応する位置にパターン８８Ａ、８８Ｂが形成されている。第一の導電ゴム３５は、ＬＥＤ基板８６と電極基板９０との間に配されている。電極基板９０の基端側側面には、パターン８８Ａ、８８Ｂに対応する位置にピン部（アダプタ側電気接点）９０Ａ、９０Ｂがそれぞれ立設されている。
【００４９】
挿入部９１の連結プラグ９２には、挿入部側導電ゴム９３を介してピン部９０Ａ、９０Ｂと接触可能な挿入部側パターン（挿入部側電気接点）９５Ａ、９５Ｂが形成された挿入部側電極基板９６が配されている。挿入部側パターン９５Ａ、９５Ｂは配線９７にそれぞれ接続されている。連結プラグ９２の先端には、ピン部９０Ａ、９０Ｂが貫通可能な貫通孔９８ａが形成された樹脂製のカバー９８が係合されている。
【００５０】
この内視鏡装置９０によれば、はんだ付けすることなく、第二の導電ゴム６７から生じる押付力によってＬＥＤ基板８６にＬＥＤチップ５を電気的に接触させることができる。
また、第一の導電ゴム３５及び挿入部側導電ゴム９３とを介してＬＥＤ電気接点８７Ａ、８７Ｂと挿入部側パターン９５Ａ、９５Ｂとを導通させることができる。
従って、撮像アダプタ８１より容易に組立することができ、小型化を図ることができる。
【００５１】
次に、第６の実施形態について図９を参照しながら説明する。
なお、上述した実施形態と同様の構成要素には同一符号を付すとともに説明を省略する。
第６の実施形態と第２の実施形態との異なる点は、本実施形態に係る内視鏡装置１００の撮像アダプタ１０１におけるレンズ筒部１０２には、第二の導電ゴム４６の代わりにＬＥＤ電気接点２２Ａ、２２Ｂに対して押付力を発生する可撓性基板（押付力発生部）１０３が覆設されているとした点である。
【００５２】
可撓性基板１０３は、平板を円筒状に成形したものとされ、内径がレンズ筒部１０２の外径よりも小さい径とされている。
可撓性基板１０３の内面には、基端側に第一の接点１０５が配され、先端側に第二の接点１０６が配された内側配線（配線部）１０７が軸方向に沿って配されている。
【００５３】
電極基板１０８は、第２の実施形態に係る電極基板４８と異なり、先端側電極５１Ａ、５１Ｂがそれぞれ第一の腕部５０Ａ、５０Ｂの径方向外方に面して配されている。
レンズ筒部１０２の外周面は平坦面とされており、第一の腕部５０Ａ、５０Ｂ及び第二の腕部５７Ａ、５７Ｂを軸方向に沿って折り曲げた際にこれらが外周面から突出するようにされている。そのため、レンズ筒部１０２の側面に可撓性基板１０３を装着し、さらに図示しない外側部材に挿入した際、第一の腕部５０Ａ、５０Ｂ及び第二の腕部５７Ａ、５７Ｂを径方向内方に押圧する押付力を発生させることができる。
【００５４】
この内視鏡装置１００によれば、押付力を発生させると同時に第一の接点１０５とアダプタ側電気接点２８Ａ、２８Ｂとを電気的に接触させ、第二の接点１０６とＬＥＤ電気接点２２Ａ、２２Ｂとを電気的に接触させることができる。従って、より容易に撮像アダプタ１０１を組立ることができる。
【００５５】
また、図９に示すようなフレキ基板５６及び電極基板１０８の代わりに、図１０に示すように、半導体プロセスによって製作したフィルム電極１１０を金属等からなる基板１１１、１１２にそれぞれ貼りつけたものとしても構わない。
さらに、可撓性基板１０３の代わりに、フィルム電極１１０と同様にフィルム状に形成させた内側配線（配線部）１１３Ａ、１１３Ｂを金属等からなる弾性板（押付力発生部）１１５に貼りつけたものとしても構わない。
この場合も、同様の作用・効果を奏することができる。
【００５６】
なお、本発明の技術範囲は上記実施の形態に限定されるものではなく、本発明の趣旨を逸脱しない範囲において種々の変更を加えることが可能である。
例えば、上記実施形態では、押付力発生部が導電ゴムを備えるものとしているが、弾性力を有するとともに導電可能なものであれば構わない。  
【図面の簡単な説明】
【００５７】
【図１】本発明の第１の実施形態に係る内視鏡装置を（ａ）分解した状態を示す斜視図、（ｂ）組立・収納した状態を示す斜視図である。
【図２】本発明の第１の実施形態に係る内視鏡装置の挿入部要部及び撮像アダプタを示す断面図である。
【図３】本発明の第１の実施形態に係る内視鏡装置の撮像アダプタを示す分解斜視図である。
【図４】本発明の第２の実施形態に係る内視鏡装置の撮像アダプタを示す（ａ）断面図、（ｂ）弾性シートを装着した状態の要部斜視図、（ｃ）（ｂ）の場合の要部拡大断面図である。
【図５】本発明の第２の実施形態に係る内視鏡装置の撮像アダプタを示す分解斜視図である。
【図６】本発明の第３の実施形態に係る内視鏡装置の（ａ）撮像アダプタを示す要部分解斜視図、（ｂ）レンズ筒部を示す斜視図である。
【図７】本発明の第４の実施形態に係る内視鏡装置の撮像アダプタを示す（ａ）分解斜視図、（ｂ）断面図である。
【図８】本発明の第５の実施形態に係る内視鏡装置の撮像アダプタを示す分解斜視図である。
【図９】本発明の第６の実施形態に係る内視鏡装置の撮像アダプタを示す分解斜視図である。
【図１０】本発明の他の実施形態に係る内視鏡装置の撮像アダプタの構成部品を展開した状態を示す分解斜視図である。
【符号の説明】
【００５８】
１、４５、６０、７０、８０、１００  内視鏡装置
２  挿入部
５  ＬＥＤチップ
６  ＬＥＤユニット
７、４７、６１、７１、８１、１０１  撮像アダプタ
１２Ａ、１２Ｂ  挿入部側電気接点
１８、５８、６２、１０２  レンズ筒部（保持部）
２２Ａ、２２Ｂ、８７Ａ、８７Ｂ  ＬＥＤ電気接点
２６Ａ、２６Ｂ  フレキ配線（配線部）
２８Ａ、２８Ｂ  アダプタ側電気接点
３５  第一の導電ゴム（押付力発生部）
３６、４６、６７  第二の導電ゴム（押付力発生部）
６３Ａ、６３Ｂ  メッキ層（配線部）
７３Ａ、７３Ｂ  導電部（配線部）
９０Ａ、９０Ｂ  ピン部（アダプタ側電気接点）
９５Ａ、９５Ｂ  挿入部側パターン（挿入部側電気接点）
１０３  可撓性基板（押付力発生部）
１０７、１１３Ａ、１１３Ｂ  内側配線（配線部）
１１５  弾性板（押付力発生部）
【図１】
2006075404.tif 000003
【図２】
2006075404.tif 000004
【図３】
2006075404.tif 000005
【図４】
2006075404.tif 000006
【図５】
2006075404.tif 000007
【図６】
2006075404.tif 000008
【図７】
2006075404.tif 000009
【図８】
2006075404.tif 000010
【図９】
2006075404.tif 000011
【図１０】
2006075404.tif 000012